(57)【要約】  キー素材は、第１および第２の概ね平坦な反対側を向き、端縁面によってつながった側面を画成する概ね細長い軸部を含み、第１および第２の側面の少なくとも一方は、キー組み合わせ面を画成するキーカットを形成するために切削可能であり、少なくとも１つのキー組み合わせ要素は、細長い軸部に可動に配されてシリンダー錠プラグに配された錠組み合わせ要素と接触するようになっており、少なくとも１つのキー組み合わせ要素は、錠組み合わせ要素に対して付勢力を加えるための固有エネルギーを有する。従って、キー素材から形成されたキーおよび錠もまた開示されている。
2007530840.tif 000002
【特許請求の範囲】
【請求項１】
端縁面にてつながった第１および第２の概ね平らな反対側を向く側面を画成する概ね細長い軸部を具え、前記第１そして第２の側面の少なくとも一方は、キー組み合わせ面を画成するキーカットを形成するように切削可能であり、
少なくとも１つのキー組み合わせ要素が前記細長い軸部に対して可動に配されてシリンダー錠プラグに配された錠組み合わせ要素に接触するようになっており、前記少なくとも１つのキー組み合わせ要素は、錠組み合わせ要素に対して付勢力を加えるための固有エネルギーを有し、前記少なくとも１つのキー組み合わせ要素は、前記細長い軸部に形成された凹部に配され、前記第１および第２の側面の両方を越えて前記凹部から外側に弾性的に突出可能である弾性アームを具えていることを特徴とするキー素材。
【請求項２】
端縁面にてつながった第１および第２の概ね平らな反対側を向く側面を画成する概ね細長い軸部を具え、前記第１および第２の側面の少なくとも一方は、キー組み合わせ面を画成するキーカットを形成するように切削可能であり、
少なくとも１つのキー組み合わせ要素は、旋回軸線を中心として旋回可能であって、前記細長い軸部内に可動に配され、かつシリンダー錠プラグに配された錠組み合わせ要素に接触するようになっており、前記少なくとも１つのキー組み合わせ要素は、前記錠組み合わせ要素に対して付勢力を加えるための固有エネルギーを有することを特徴とするキー素材。
【請求項３】
前記少なくとも１つのキー組み合わせ要素は、少なくとも１つの錠組み合わせ要素を付勢するための複数の接触面を具えていることを特徴とする請求項１または請求項２に記載のキー素材。
【請求項４】
前記少なくとも１つのキー組み合わせ要素は、前記凹部から延在する弧状の切欠きに旋回するように取り付けられた共通のベースから延在する一対の弾性アームを具え、前記凹部は、前記弧状の切欠きから半径方向に拡がる溝が形成され、この溝の壁が前記弾性アームの角運動範囲を画成することを特徴とする請求項１から請求項３の何れかに記載のキー素材。
【請求項５】
端縁面によってつながった第１および第２の概ね平らな反対側を向く側面を画成する概ね細長い軸部を具え、前記第１および第２の側面の少なくとも一方にキー組み合わせ面を画成するキーカットが形成され、
少なくとも１つのキー組み合わせ要素は、前記細長い軸部に対して可動に配されてシリンダー錠プラグに配された錠組み合わせ要素に接触するようになっており、前記少なくとも１つのキー組み合わせ要素は、前記錠組み合わせ要素に対して付勢力を加えるための固有エネルギーを有し、前記少なくとも１つのキー組み合わせ要素は、前記細長い軸部に形成された凹部に配される弾性アームを具え、かつ前記第１および第２の側面の両方を共に越えて前記凹部から外側へ弾性的に突出することができることを特徴とするキー。
【請求項６】
端縁面によってつながった第１および第２の概ね平らな反対側を向く側面を画成する概ね細長い軸部を具え、前記第１および第２の側面の少なくとも一方にキー組み合わせ面を画成するキーカットが形成され、
少なくとも１つのキー組み合わせ要素は、旋回軸線を中心として旋回可能かつ前記細長い軸部に対して可動に配されてシリンダー錠プラグに配された錠組み合わせ要素に接触するようになっており、前記少なくとも１つのキー組み合わせ要素は、前記錠組み合わせ要素に対して付勢力を加えるための固有エネルギーを有することを特徴とするキー。
【請求項７】
前記少なくとも１つのキー組み合わせ要素は、少なくとも１つの錠組み合わせ要素を付勢するため複数の接触面を具えていることを特徴とする請求項５または請求項６に記載のキー。
【請求項８】
前記少なくとも１つのキー組み合わせ要素は、前記凹部から延在する弧状の切欠き内で旋回するように取り付けられた共通のベースから延在する一対の弾性アームを具え、前記凹部には前記弧状の切欠きから半径方向に拡がる溝が形成され、この溝の壁が前記弾性アームの角運動の範囲を画成することを特徴とする請求項５または請求項６に記載のキー。
【請求項９】
シリンダー錠ハウジングと、
このシリンダー錠ハウジング内に配されてこれに対し相対回転するように設けられ、かつキー溝を有するプラグと、
端縁面によってつながった概ね平らな反対側を向く第１および第２の側面を画成する概ね細長い軸部を具え、かつ前記第１そして第２の側面の少なくとも一方にキー組み合わせ面を画成するキーカットが形成されたキーと
を具え、少なくとも１つのキー組み合わせ要素は、前記細長い軸部に対して可動に配され、かつシリンダー錠プラグに配された錠組み合わせ要素に接触することができるようになっており、前記少なくとも１つのキー組み合わせ要素は、前記錠組み合わせ要素に対して付勢力を加えるための固有エネルギーを有し、前記少なくとも１つのキー組み合わせ要素は、前記細長い軸部に形成した凹部に配され、かつ前記第１および第２の側面の両方を越えて前記凹部から外側へ弾性的に突出可能である弾性アームを具えていることを特徴とする錠。
【請求項１０】
シリンダー錠ハウジングと、
このシリンダー錠ハウジング内に配されてこれに対し相対回転するように設けられ、かつキー溝を有するプラグと、
端縁面によってつながった概ね平坦な反対側を向く第１および第２の側面を画成する概ね細長い軸部を具え、かつ前記第１および第２の少なくとも一方にキー組み合わせ面を画成するキーカットが形成されたキーと
を具え、少なくとも１つのキー組み合わせ要素は、旋回軸線を中心として旋回可能であって前記細長い軸部に対して可動に配され、シリンダー錠プラグに配された錠組み合わせ要素に接触するようになっており、前記少なくとも１つのキー組み合わせ要素は、前記錠組み合わせ要素に対して付勢力を加えるための固有エネルギーを有することを特徴とする錠。
【請求項１１】
前記シリンダー錠は、前記プラグ(４６)内で滑動するように配され、かつシリンダー錠ハウジング(４４)に形成された穴に配された駆動ピン(５０)に対して動くことができるプラグピン(４８)を具え、前記キー組み合わせ要素(２６)は、前記プラグ(４６)に配された錠組み合わせ要素(５４)に接触するようになっていることを特徴とする請求項９または請求項１０に記載の錠。
【請求項１２】
どの前記側面(１４，１６)からキー組み合わせ要素(２６)が突出するかは、錠組み合わせ要素(５４)の位置によって自動的に決まることを特徴とする請求項９から請求項１１の何れかに記載の錠。
【請求項１３】
前記キー(２２)が前記キー溝(４２)を通って直線状に動く場合、前記キー組み合わせ要素(２６)は、これが前記旋回軸線(３６)を中心として旋回するように、半径方向に動くことを特徴とする請求項１０に記載の錠。
【請求項１４】
異なった反対側を向くキー組み合わせ要素(２６)を具えていることを特徴とする請求項９から請求項１３の何れかに記載の錠。
【発明の詳細な説明】
【技術分野】
【０００１】
本発明は、概ね固定装置、より詳細にはキー素材またはキーに対して可動に配されるキー組み合わせ要素およびこれによって作動する錠に関する。
【背景技術】
【０００２】
シリンダー錠は、この分野において周知のように、錠シリンダハウジング内で回転するように配されたプラグ（タンブラーとも呼称される）を概ね含む。プラグピンは、プラグ内で滑動するように配されて駆動ピンに対して移動するように設けられ、シリンダハウジングに形成された穴に配され、プラグ回転軸線に向けて付勢されたばねである。プラグに設けられたキー溝に対して正しく加工されたキーの挿入は、プラグピンを駆動ピンに対して動かし、プラグの外周によって画成された剪断ラインに沿ってすべてのピンを整列させ、これによってラッチすなわち固定機構の作動をもたらすように、プラグの回転を可能とする。
【０００３】
キーブレードに配された可動要素（例えばピン）を装備したシリンダー錠もまた知られている。補助のロックピンがシリンダハウジング内にばね装填されている。キー溝内へのキーの挿入に関し、可動要素は補助のロックピンと共に整列し、剪断ラインに対して整列すると共にプラグの回転を可能とするようにこれらと相互に作用し合う。窃盗未遂犯が鍵のキーカットの組み合わせを暴いたとしても、可動要素を補助のロックピンに対してさらに整列させずない限り、錠はまだ外れない。後者の操作は、正規のキーなしでは非常に困難であり、従ってこの錠は高い安全性をもたらす。このような錠は、例えばこの出願の譲受人に譲渡された Eizen らの特許文献１や、特許文献２ならびに特許文献３に記述されている。これらの特許は、キー組み合わせ面を画成する概ね細長い軸部を含むキー素材を記載しており、キーの組み合わせを画成するキー組み合わせ面に形成されたキーカットを有するようになっている。キー素材は、細長い軸部内に保持された可動ピン要素を含む。この可動ピン要素は、キー組み合わせ面から外側の単一方向へ移動することができる。
【０００４】
【特許文献１】米国特許第５５２００３５号明細書
【特許文献２】米国特許第５７８４９１０号明細書
【特許文献３】米国特許第５８３９３０８号明細書
【発明の開示】
【発明が解決しようとする課題】
【０００５】
本発明は、より詳細に以下に記述されるように、改善されたキー素材，キーおよび錠を提供することを意図している。
【課題を解決するための手段】
【０００６】
従って、端縁面にてつながる第１および第２の概ね平坦な反対側を向く側面を画成する概ね細長い軸部を含み、第１および第２の側面の少なくとも一方はキー組み合わせ面を画成するキーカットを形成するために切削可能であり、少なくとも１つのキー組み合わせ要素（例えばばね）は細長い軸部に対して可動に配されてシリンダー錠プラグに配された錠組み合わせ要素に接触するようになっており、少なくとも１つのキー組み合わせ要素は錠組み合わせ要素に対して付勢力を加えるための固有エネルギーを有するキー素材が本発明の一実施形態に従って提供される。少なくとも１つのキー組み合わせ要素は、両方の第１および第２の両方の側面を越えて外側へ弾性的に突出することができるものであってよい。
【０００７】
キー素材（および/またはこれから作られるキーならびにこれにより与えられる錠）は、次の１つ以上の特徴を有することができる。例えば、少なくとも１つのキー組み合わせ要素は、旋回軸線を中心として旋回可能であってよい。少なくとも１つのキー組み合わせ要素は、細長い軸部に形成された凹部に配され、かつこの凹部から第１および第２の側面の少なくとも一方を越えて外側へ弾性的に突出することができる弾性アームを含むことができる。例えば、少なくとも１つのキー組み合わせ要素は、凹部から延在する弧状の切欠き内に旋回するように取り付けられた共通のベースから延在する一対の弾性アームを含むことができ、凹部には弧状の切欠きから半径方向に拡がる溝が形成され、この溝の壁が弾性アームの角運動の範囲を画成する。
【０００８】
少なくとも１つのキー組み合わせ要素は、１つ以上の錠組み合わせ要素を付勢するための複数の接触面を含むことができる。
【発明を実施するための最良の形態】
【０００９】
本発明は、図面と共に用いられる次の詳細な説明から、より完全に理解および認識されよう。
【００１０】
さて、言及が図１および図２に対してなされ、これは本発明の実施形態に従って構成され、かつ用いられるキー素材１０を例示している。キー素材１０は、概ね細長い軸部１２を有することができ、これは長手方向軸線１３に沿って延在し、かつ端縁面１８にてつながった反対側を向く第１および第２の概ね平坦な側面１４および１６を画成している。第１および第２の側面１４および１６の何れか一方または両方共、そこに形成されてキー組み合わせ面を画成し、これによってキー２２を構成するキーカット２０を有することができる。この分野にて周知の伸縮式錠ピンの如き、あらゆる種類の錠ピンに係合するように、これらキーカット２０を刻設することができる。（キー２２となる）キー素材１０は、キー頭部２４を有することができる。
【００１１】
キー２２/キー素材１０(ここでは単に「キー２２」)は、平坦な側面１４および１６の両方がキー組み合わせ面を構成するリバーシブルキーを画成することができる。
【００１２】
本発明の一実施形態において、１つ以上のキー組み合わせ要素２６がキー２２に対して可動に配される。「キーの組み合わせ」により、以下に記述されるように、キー組み合わせ要素２６が剪断ラインにて整列するように、シリンダー錠タンブラーに配された錠組み合わせ要素に対して当接することを意味する。
【００１３】
反対側の別なキー組み合わせ要素２６が別の形態を有してもよい。この場合、キー２２の位置によって相互に排他的な２つの別なマスターキーシステムを操作することができ、そのそれぞれが別のピン要素の形態にて操作される。１つ以上のキー組み合わせ要素２６をキー２２に設けることができる。
【００１４】
言及が図３Ａに対してさらになされる。キー組み合わせ要素２６は、例えばばね金属から作られる１つ以上の弾性アーム２８を含むことができる。限定しない例示の実施形態において、キー組み合わせ要素２６は、共通の弧状ベース３０から延在する一対の弾性アーム２８を含み、弧状ベースは細長い軸部１２に形成された凹部３４から延在する弧状切欠き部３２に対して旋回するように取り付けられている。凹部３４は、キー２２の厚みを貫いて延在する開口であってよい。キー組み合わせ要素２６は、凹部３４から第１および第２の側面１４および１６の一方または両方を越えて外側に弾性的に突出することができる。図３Ａに例示した限定しない実施形態において、キー組み合わせ要素２６は、第１および第２の側面１４および１６の両方を越えて外側に弾性的に突出している。
【００１５】
キー組み合わせ要素２６は、固有の位置エネルギー、すなわち略して固有エネルギーを有し、さらに以下に記述されるように、これは錠組み合わせ要素に対する付勢力を加えるための位置エネルギーを蓄える固有の材料特性を持つことを意味する。換言すると、キー組み合わせ要素２６はそれ自体、錠組み合わせ要素に付勢力を加えるために働く付勢要素である。キー組み合わせ要素２６は、キー組み合わせ要素２６に加えられる（何らかのばねからの如き）他の如何なる補助力を必要とせずに錠組み合わせ要素に対し付勢力を加えることができる。
【００１６】
前述したように、キー組み合わせ要素２６はキー２２に対して可動に配される。限定しない例示された実施形態において、キー組み合わせ要素２６は旋回軸線３６回りに旋回可能である（この旋回運動が図３Ａ中の矢印３８にて示してある）。（図１に示され、かつ図３Ａの紙面に対して直交する）旋回軸線３６は、軸部１２の長手方向軸線１３に対して概ね横切り、第１および第２の側面１４および１６の間の平面内にある。この旋回軸線３６の平面は、第１および／または第２の側面１４および１６に対して概ね平行であってよい。弧状切欠き部３２から径方向に拡がる溝３９と共に凹部３４を形成することができ、溝３９の壁は弾性アーム２８の角運動の範囲を規定する。
【００１７】
さて、言及が図３Ｂに対してなされる。この限定しない実施形態において、キー組み合わせ要素２６は複数の接触面５９を有することができ、これらは１つ以上の錠組み合わせ要素に接触して付勢することができる。これは、本発明で可能なキー/錠組み合わせの数を増大させることができる。
【００１８】
さて、言及が図４〜図６に対してなされ、これらは本発明の一実施形態に従って組み立てられ、かつ動作するシリンダー錠４０を示している。シリンダー錠４０は、シリンダー錠ハウジング４４と、ハウジング４４内で回転するように配されると共にキー溝４２を有するプラグ４６とを具えることができる。
【００１９】
シリンダー錠４０は、従来のあらゆるシリンダー錠にて一般的な要素を具えることができる。手短に言えば、この分野において周知のように、プラグピン４８（図４）がプラグ４６内で摺動するように設けられると共に駆動ピン５０に対して動くように配することができ、これはシリンダー錠ハウジング４４に形成された穴に配置され、例えばプラグの回転軸線に向けて付勢されるばねであってよい。キー溝４２へのキー２２の挿入は、プラグピン４８を駆動ピン５０に対して動かし、プラグの外周によって画成された剪断ライン５２（図６）に沿ってすべてのピンを整列させ、これによってプラグ４６の回転を可能とし、錠前機構５５、例えばカム（図５）の作動をもたらす。
【００２０】
本発明において、キー組み合わせ要素２６は、プラグ４６に配された錠組み合わせ要素５４に接触するようになっている。錠組み合わせ要素５４は、任意の構成や寸法および形状を有することができる。限定しない例示した実施形態において、錠組み合わせ要素５４は、キー組み合わせ要素２６に接触する第１の部分５６と、１つの駆動ピン５０に接触する第２の部分５８とを具えている。１つ以上のキー組み合わせ要素２６をキー２２に設けることができると同時に、１つ以上の対応する錠組み合わせ要素５４をプラグ４６に設けることができる。
【００２１】
図５および図６は、キー溝４２に挿入されるキー２２を示しており、キー組み合わせ要素２６は錠組み合わせ要素５４を１つの駆動ピン５０に対して押し付け、剪断ライン５２に沿って整列することをもたらす。この位置において、キー組み合わせ要素２６はキー２２から突出する。上述したように、キー組み合わせ要素２６は第１および第２の側面１４および１６の何れか一方または両方を越えて外側へと弾性的に突出する。どの側面１４および１６からキー組み合わせ要素２６が突出するかは、錠組み合わせ要素５４の位置によって自動的に決定される。キー２２がキー溝４２を通って直線状に動くので、キー組み合わせ要素２６は、これが旋回軸線３６を中心として旋回するように、半径方向に動くことに注意されたい。
【００２２】
本発明の範囲は、前述の説明を理解した当業者が想起し、かつ従来技術に存在しない上述した特徴の組み合わせおよびその更なる組み合わせの両方をこれらの修正および変更と同様に含む。
【図面の簡単な説明】
【００２３】
【図１】キーを形成するためにそこに形成されたキーカットを持つキー素材の平面図であり、キー素材はキーカットに対して可動に配されたキー組み合わせ要素を含み、本発明の一実施形態に従って構成および作動するものである。
【図２】キーを形成するためにそこに形成されたキーカットを持つキー素材の断面図であり、キー素材は、キーカットに可動に配されたキー組み合わせ要素を含み、本発明の一実施形態に従って構成および作動し、この断面図は図１中のＡ−Ａ線に沿って与えられ、キー組み合わせ要素は、キー（キー素材）から突出していない第１の位置にある。
【図３Ａ】図２に示す円で囲まれたキー組み合わせ要素のより詳細な断面図である。
【図３Ｂ】本発明の一実施形態による複数の錠組み合わせ要素を付勢するための複数の接触面を持ったキー組み合わせ要素の詳細な断面図である。
【図４】本発明の一実施形態により構成されて作動するシリンダー錠の横断面図であり、シリンダー錠の錠要素が剪断ラインに沿ってまだ整列していない。
【図５】そのキー溝に挿入される図１のキーを持った図４のシリンダー錠の縦断面図であり、シリンダー錠の錠要素が本発明の一実施形態による剪断ラインに沿って整列した場合、キー組み合わせ要素の位置を示している。
【図６】そのキー溝に挿入される図１のキーを持った図４のシリンダー錠の横断面図であり、シリンダー錠の錠要素が本発明の一実施形態による剪断ラインに沿って整列した場合、キー組み合わせ要素の位置を示している。
【図１】
2007530840.tif 000003
【図２】
2007530840.tif 000004
【図３Ａ】
2007530840.tif 000005
【図３Ｂ】
2007530840.tif 000006
【図４】
2007530840.tif 000007
【図５】
2007530840.tif 000008
【図６】
2007530840.tif 000009
【国際調査報告】
2007530840.tif 000010
2007530840.tif 000011